(57)【要約】      （修正有）【課題】多層立体構造のマスクの提供。【解決手段】第１本体１０と第２本体２０を具え、少なくとも二つの第２本体が第１本体の前方に設置されて、多層立体構造を達成し、気流が少なくとも二つの第２本体を通過した後に更に第１本体を通過して該マスクの内部に進入し、且つ一部の気流が直接第１本体を通りマスク内部に進入し、第１本体に呼気弁１２が設けられ、該呼気弁は単一方向の排気機能を具え、これによりマスク内部の気体が呼気弁を通り容易にマスクより排出され、ゆえに該マスクが大面積のフィルタを具えると共に、分流の特性を具え、マスクの圧損を減らすことができ、またマスクの少なくとも二つの第２本体が着脱可能とされ、環境保護と必要に応じてフィルタを増減できる特性を有する。【選択図】図１
0003109670.tif 000002
【実用新案登録請求の範囲】
【請求項１】
呼気弁が設けられた第１本体と、第１本体の前方に位置し且つ第１本体と接続された少なくとも二つの第２本体とを具えた多層立体構造のマスクであり、該マスクが少なくとも二つの第２本体と第１本体により入気及び濾過し、更に呼気弁により気体を排出することを特徴とする、多層立体構造のマスク。
【請求項２】
請求項１記載の多層立体構造のマスクにおいて、呼気弁が単一方向の排気装置を具えたことを特徴とする、多層立体構造のマスク。
【請求項３】
請求項１記載の多層立体構造のマスクにおいて、第１本体と少なくとも二つの第２本体が回転式連接弁で接続されたことを特徴とする、多層立体構造のマスク。
【請求項４】
請求項１記載の多層立体構造のマスクにおいて、第１本体と少なくとも二つの第２本体が直接溶接の方式で接続されたことを特徴とする、多層立体構造のマスク。
【請求項５】
請求項１記載の多層立体構造のマスクにおいて、少なくとも二つの第２本体の総面積が第１本体と等しいことを特徴とする、多層立体構造のマスク。
【請求項６】
請求項１記載の多層立体構造のマスクにおいて、少なくとも二つの第２本体の内部にそれぞれ一つの整流式通気爪が設けられたことを特徴とする、多層立体構造のマスク。
【請求項７】
請求項６記載の多層立体構造のマスクにおいて、整流式通気爪が複数の通気爪と一つの整流式通気孔を具えたことを特徴とする、多層立体構造のマスク。
【請求項８】
呼気弁が設けられた第１本体と、第１本体の前方に位置し且つ第１本体と接続された少なくとも一つの第２本体とを具えた多層立体構造のマスクであり、該マスクが少なくとも一つの第２本体と第１本体により入気及び濾過し、更に呼気弁により気体を排出することを特徴とする、多層立体構造のマスク。
【請求項９】
請求項８記載の多層立体構造のマスクにおいて、呼気弁が単一方向の排気装置を具えたことを特徴とする、多層立体構造のマスク。
【請求項１０】
請求項８記載の多層立体構造のマスクにおいて、第１本体と少なくとも一つの第２本体が回転式連接弁で接続されたことを特徴とする、多層立体構造のマスク。
【請求項１１】
請求項８記載の多層立体構造のマスクにおいて、第１本体と少なくとも一つの第２本体が直接溶接の方式で接続されたことを特徴とする、多層立体構造のマスク。
【請求項１２】
請求項８記載の多層立体構造のマスクにおいて、少なくとも一つの第２本体の総面積が第１本体と等しいことを特徴とする、多層立体構造のマスク。
【請求項１３】
請求項８記載の多層立体構造のマスクにおいて、少なくとも一つの第２本体の内部にそれぞれ一つの整流式通気爪が設けられたことを特徴とする、多層立体構造のマスク。
【請求項１４】
請求項１３記載の多層立体構造のマスクにおいて、整流式通気爪が複数の通気爪と一つの整流式通気孔を具えたことを特徴とする、多層立体構造のマスク。
【考案の詳細な説明】
【技術分野】
【０００１】
本考案は一種の多層立体構造のマスクに係り、特に、少なくとも二つの第２本体を具えて第１本体を遮蔽し、多層構造を利用してフィルタの使用寿命を延長し、並びに気流面積と濾過効率を高めて呼吸器の順調性を向上した多層立体構造のマスクに関する。
【背景技術】
【０００２】
よく見られるマスクは、平面型と半面体型マスクに分けられ、また応用の種類により、微塵（Ｐａｒｔｉｃｕｌａｔｅ）濾過と気体（Ｇａｓ）濾過マスクに分けられ、後者は活性炭のような多孔吸着性材料の付加を必要とし、この吸着材料の性質により、異なる種類の毒物或いは有機ガスを吸着する。しかし、マスクはヘルメットと同様に、正確に使用しなければ効果を達成できない。このほか、マスクの選択と使用時には更にマスク材料の濾過性能と呼吸の順調性についても注意しなければ、使用時に快適でなくなる。
【０００３】
特許文献１に記載の使い捨てマスクは、良好な濾過効果を具備するほか、良好な呼吸性を提供し、上下２片の多層不織布が組み合わされてなり、２本のバンドが２片の不織布と同方向に延伸されて着用に供され、着用者にフィットする。その欠点は、マスク構造形態が不良で外観が悪く、且つ着用時に、受力が両端点に集中し、力分布が不均一となり、周辺の漏洩率が高くなることである。もし引っ張り力を増して漏洩率を減らそうとすると、着用の圧迫性が高くなるほか、マスクが受力の過大により陥没する。更に、特許文献２に記載のマスクはポリプロピレン不織布を具え、複数の折り構造を具え、イヤーバンドが弾性繊維で製造され、イヤーバンドと折った不織布が熱接合されている。その欠点は、平面折り畳み式マスクの周辺の漏洩率が高く、且つ口鼻が直接マスクに接触し、自己汚染現象を発生しやすく（自己の口沫が発生する汚染物による汚染）、且つマスクと顔部の接触面積が大きく、触感が不良であるほか、アレルギー現象を引き起しやすいことである。また特許文献３に記載のマスクの欠点は、マスクの鼻孔部分の開孔にフィルタが設置されているため、開孔加工に必要な工程のために工程が複雑化し、フィルタと呼吸量が少な過ぎ、フィルタ能力と使用寿命が減少しやすい。
【０００４】
【特許文献１】米国特許第５，３２２，０６１号明細書
【特許文献２】米国特許第４，９４１，４７０号明細書
【特許文献３】台湾特許出願第０９０２０２７３８号明細書
【考案の開示】
【考案が解決しようとする課題】
【０００５】
これにより、いかに上述の問題に対して新規な多層立体構造のマスクを提供し、伝統的な技術の濾過面積制限により形成される濾過効率が低い欠点を改善し、また、濾過する気流を増加し濾過材を交換可能とするかが、長く使用者及び本件考案者の切望するところであった。
【０００６】
本考案の主要な目的は、一種の多層立体構造のマスクを提供することにあり、それは、第１本体と第２本体を具え、少なくとも二つの第２本体が第１本体の外側に接続されてその濾過の面積が増され、マスクの使用寿命が延長され、並びに濾過の気流が増されて濾過の性能が向上され、この構造により気流を分流してマスクの圧損が減らされたものとする。
【０００７】
本考案の次の目的は、一種の多層立体構造のマスクを提供することにあり、それは、少なくとも二つの第２本体を使用し、該少なくとも二つの第２本体が着脱可能な構造とされ、環境と濾過因子の必要に応じて交換或いは着脱可能で、弾性的にこの少なくとも二つの第２本体を増加或いは減少できる特性を有し、弾性使用の設計を具備し並びに環境保護使用の設計を具備するものとする。
【０００８】
本考案は一種の多層立体構造のマスクを提供し、それは、第１本体と第２本体を具え、少なくとも二つの第２本体が第１本体の前方に設置されて、多層立体構造を達成し、気流が少なくとも二つの第２本体を通過した後に更に第１本体を通過して該マスクの内部に進入し、且つ一部の気流が直接第１本体を通りマスク内部に進入し、第１本体に呼気弁が設けられ、該呼気弁は単一方向の排気機能を具え、これによりマスク内部の気体が呼気弁を通り容易にマスクより排出され、ゆえに該マスクが大面積のフィルタを具えると共に、分流の特性を具え、マスクの圧損を減らすことができ、またマスクの少なくとも二つの第２本体が着脱可能とされ、環境保護と必要に応じてフィルタを増減できる特性を有する。
【課題を解決するための手段】
【０００９】
請求項１の考案は、呼気弁が設けられた第１本体と、第１本体の前方に位置し且つ第１本体と接続された少なくとも二つの第２本体とを具えた多層立体構造のマスクであり、該マスクが少なくとも二つの第２本体と第１本体により入気及び濾過し、更に呼気弁により気体を排出することを特徴とする、多層立体構造のマスクとしている。
請求項２の考案は、請求項１記載の多層立体構造のマスクにおいて、呼気弁が単一方向の排気装置を具えたことを特徴とする、多層立体構造のマスクとしている。
請求項３の考案は、請求項１記載の多層立体構造のマスクにおいて、第１本体と少なくとも二つの第２本体が回転式連接弁で接続されたことを特徴とする、多層立体構造のマスクとしている。
請求項４の考案は、請求項１記載の多層立体構造のマスクにおいて、第１本体と少なくとも二つの第２本体が直接溶接の方式で接続されたことを特徴とする、多層立体構造のマスクとしている。
請求項５の考案は、請求項１記載の多層立体構造のマスクにおいて、少なくとも二つの第２本体の総面積が第１本体と等しいことを特徴とする、多層立体構造のマスクとしている。
請求項６の考案は、請求項１記載の多層立体構造のマスクにおいて、少なくとも二つの第２本体の内部にそれぞれ一つの整流式通気爪が設けられたことを特徴とする、多層立体構造のマスクとしている。
請求項７の考案は、請求項６記載の多層立体構造のマスクにおいて、整流式通気爪が複数の通気爪と一つの整流式通気孔を具えたことを特徴とする、多層立体構造のマスクとしている。
請求項８の考案は、呼気弁が設けられた第１本体と、第１本体の前方に位置し且つ第１本体と接続された少なくとも一つの第２本体とを具えた多層立体構造のマスクであり、該マスクが少なくとも一つの第２本体と第１本体により入気及び濾過し、更に呼気弁により気体を排出することを特徴とする、多層立体構造のマスクとしている。
請求項９の考案は、請求項８記載の多層立体構造のマスクにおいて、呼気弁が単一方向の排気装置を具えたことを特徴とする、多層立体構造のマスクとしている。
請求項１０の考案は、請求項８記載の多層立体構造のマスクにおいて、第１本体と少なくとも一つの第２本体が回転式連接弁で接続されたことを特徴とする、多層立体構造のマスクとしている。
請求項１１の考案は、請求項８記載の多層立体構造のマスクにおいて、第１本体と少なくとも一つの第２本体が直接溶接の方式で接続されたことを特徴とする、多層立体構造のマスクとしている。
請求項１２の考案は、請求項８記載の多層立体構造のマスクにおいて、少なくとも一つの第２本体の総面積が第１本体と等しいことを特徴とする、多層立体構造のマスクとしている。
請求項１３の考案は、請求項８記載の多層立体構造のマスクにおいて、少なくとも一つの第２本体の内部にそれぞれ一つの整流式通気爪が設けられたことを特徴とする、多層立体構造のマスクとしている。
請求項１４の考案は、請求項１３記載の多層立体構造のマスクにおいて、整流式通気爪が複数の通気爪と一つの整流式通気孔を具えたことを特徴とする、多層立体構造のマスクとしている。
【考案の効果】
【００１０】
本考案は以下のような長所を有している。
１．口鼻接触汚染が少なく周辺漏洩率が低い。
２．高さを具え濾過面積が大きく、製品の使用寿命が長い。
３．呼吸防護具外部のカバーが着脱式設計とされ、作業情況により外部のカバーを交換し環境汚染を減らすことができる。
【００１１】
本考案は一種の多層立体構造のマスクであり、第１本体が主要な濾過層とされ、更に多層の設計が使用され、第１本体の前方に多層式の方式が設置され、濾過面積増加機能が達成され、且つ各層の数は本考案では限定されず、濾過面積を増したことにより、製品の使用寿命を増すことができ、更に、増加したフィルタにより気流分流の特性を有し、マスク内の圧損を減らすことができ、更に、本考案の多層んお設計は着脱可能な特性を有し、ゆえに使用者が多層式構造を使用環境或いは個人の必要により交換、取り外し或いは増加でき、個人使用の弾性と環境保護の使用設計を達成している。
【考案を実施するための最良の形態】
【００１２】
本考案は周知の技術のマスクのフィルタ面積が小さいことによる入気量が少ないという欠点、フィルタに良好な濾過性能を具備させるためにフィルタが厚過ぎて入気量が少なくなり、着用者の呼吸量に不足して不適感を形成する欠点を解決するため、多層構造設計を使用し、濾過面積を増して製品寿命を延長し、製品に着脱式で交換可能な長所を具備させて損耗を減らす。且つ少なくとも二つの第２本体の内部に輻射状の支持フレームを増設し、並びに少なくとも二つの第２損体の周囲に接合し、少なくとも二つの第２本体を展開する時に、中空状曲面を形成するようにし、並びに各面間の気流チャネルを各部に接続し、マスク立体構造を形成する。少なくとも二つの第２本体により呼吸防護具の濾過面積を増し、呼吸時の気流面積と濾過効率を高め、呼吸の順調性を高める。更に、第１本体と第２本体の連通は回転式連接弁等で固着処理され、気流分流効果と形態の安定性が高められている。
【００１３】
図１は本考案の実施例の多層立体構造のマスクの構造表示図であり、図示されるように、本考案の多層立体構造のマスク１００は、第１本体１０と少なくとも二つの第２本体２０を具え、第１本体１０に呼気弁１２が設けられ、該少なくとも二つの第２本体２０は第１本体１０の前方に位置し、且つ第１本体１０と接続されている。該マスク１００は、少なくとも二つの第２本体２０と第１本体１０を通して入気及び濾過され、更に呼気弁１２より気体を排出する。更に、第１本体１０と少なくとも二つの第２本体２０はそれぞれ回転式連接弁２２で接続されるか直接溶接の方式で接続され、且つ少なくとも二つの第２本体２０の総面積は第１本体１０の面積に等しい。
【００１４】
図２は本考案の実施例の多層立体構造のマスクの気流流動表示図である。図示されるように、第１本体１０の呼気弁１２は単一方向の排気装置を具え、ゆえに、マスク１００内部の気流は簡単に該呼気弁１２を通して排出され、入気の気流は該第１本体１０或いは少なくとも二つの第２本体２０より該マスク１００に進入し、少なくとも二つの第２本体２０と該第１本体１０は回転式連接弁２２で接続され、少なくとも二つの第２本体２０の気流が簡単に該回転式連接弁２２を通してマスク１００内に進入し、ゆえにマスク１００の設計は濾過面積を増すために、少なくとも二つの第２本体２０を有することで濾過面積が増され、並びにフィルタの使用寿命が延長される。
【００１５】
図３及び図４は本考案の好ましい実施例の整流式通気爪の平面図及び底面図である。図示されるように、本考案の主要な技術特徴は、該整流式通気爪４０とされ、それは複数の通気爪４２と一つの整流式通気孔４４を具えている。並びに図５は本考案の実施例の整流式通気爪の透視図であり、図示されるように、該整流式通気爪４０は少なくとも二つの第２本体２０の内部に設けられる。
【００１６】
図６は本考案の別の実施例の多層立体構造のマスクの構造表示図である。図示されるように本実施例のマスク１００は、第１本体１０を基本濾過層とし、この濾過層は周知の技術のマスクと同様であり、周知の技術はただこの層のみ有している。本考案は更に第１本体１０の前方に少なくとも一つの第２本体２０を具え、これにより濾過の面積が増されている。図示されるように、本実施例は更に少なくとも一つの第３本体３０を具え、多層式の方式で濾過の面積が増され、並びに濾過の特性により異なる機能性のフィルタが異なる本体に使用される。且つ第１本体１０、第２本体２０或いは第３本体３０の層は着脱可能な設計とされ、濾過の機能或いは環境の必要により添加或いは着脱或いは交換でき、弾性的使用が達成され、環境の必要により着用するマスク全体を交換する必要がなく、個人が複数のマスクを準備することによるゴミ問題、或いはマスク交換時の不確定な安全性を発生することがない。
【００１７】
以上の実施例は本考案の範囲を限定するものではなく、本考案に基づきなしうる細部の修飾或いは改変は、いずれも本考案の請求範囲に属するものとする。
【図面の簡単な説明】
【００１８】
【図１】本考案の実施例の多層立体構造のマスクの構造表示図である。
【図２】本考案の実施例の多層立体構造のマスクの気流流動表示図である。
【図３】本考案の実施例の整流式通気爪の平面図である。
【図４】本考案の実施例の整流式通気爪の底面図である。
【図５】本考案の実施例の整流式通気爪の透視図である。
【図６】本考案の別の実施例の多層立体構造のマスクの構造表示図である。
【符号の説明】
【００１９】
１０  第１本体
１２  呼気弁
２０  第２本体
２２  回転式連接弁
３０  第３本体
４０  整流式通気爪
４２  通気爪
４４  整流式通気孔
１００  マスク
【図１】
0003109670.tif 000003
【図２】
0003109670.tif 000004
【図３】
0003109670.tif 000005
【図４】
0003109670.tif 000006
【図５】
0003109670.tif 000007
【図６】
0003109670.tif 000008